(57)【要約】      （修正有）【課題】送風量を増加させることができるインペラ、およびこれを備える遠心ファンと送風機を提供する。【解決手段】上下方向に延びる回転軸周りに回転可能で、上部に吸気口を有するインペラ２０であって、周方向に配列された複数の羽根２４と、複数の前記羽根の上部を連結する環状部材２１と、複数の前記羽根の下端部を連結して径方向に広がる底板と、を備え、回転軸Ｊから前記羽根の下端部における径方向外端までの距離Ｌ２は、回転軸から前記羽根の上部における径方向外端までの距離Ｌ１よりも長い構成とする。【選択図】図３
2018053863.tif 000002
【特許請求の範囲】
【請求項１】
上下方向に延びる回転軸周りに回転可能で、上部に吸気口を有するインペラであって、
周方向に配列された複数の羽根と、
複数の前記羽根の上部を連結する環状部材と、
複数の前記羽根の下端部を連結して径方向に広がる底板と、
を備え、
回転軸から前記羽根の下端部における径方向外端までの距離は、回転軸から前記羽根の上部における径方向外端までの距離よりも長い、インペラ。
【請求項２】
前記羽根の径方向外端縁部は、前記下端部から上下方向に延びる平坦部を有する、請求項１に記載のインペラ。
【請求項３】
前記平坦部は、前記羽根の上部における径方向外端での前記羽根の上下方向幅の少なくとも下側半分を占める、請求項１または請求項２に記載のインペラ。
【請求項４】
前記平坦部は、前記羽根の前記上下方向幅の下側半分を超えた範囲を占める、請求項３に記載のインペラ。
【請求項５】
前記底板の径方向外端縁部は、径方向内側から径方向外側へ向かうに従って下方向へ傾斜する、請求項１〜請求項４のいずれか１項に記載のインペラ。
【請求項６】
回転軸から前記羽根の下端部の径方向外端までの距離は、回転軸から前記環状部材の径方向外端までの距離よりも長い、請求項１〜請求項５のいずれか１項に記載のインペラ。
【請求項７】
回転軸から前記環状部材の径方向内端までの距離は、回転軸から前記底板の径方向外端
までの距離と同じ、または、それよりも長い、請求項１〜請求項６のいずれか１項に記載のインペラ。
【請求項８】
請求項１〜請求項７のいずれか１項に記載のインペラと、
前記インペラを回転させるモータと、
前記インペラの下側に位置し、前記インペラを回転可能に支持するベース部と、
を有する、遠心ファン。
【請求項９】
請求項８に記載の遠心ファンと、前記遠心ファンの上部の少なくとも一部を覆うケーシングと、を有する送風機であって、
前記ケーシングは、下面から上方に窪む凹部を有し、
前記凹部は前記環状部材の少なくとも一部を収容し、
前記凹部は、前記環状部材の径方向内側を向く面の少なくとも一部と、径方向に隙間を介して対向する、送風機。
【請求項１０】
前記羽根の径方向内側の上部は、前記凹部と径方向に対向する、請求項９に記載の送風機。
【発明の詳細な説明】
【技術分野】
【０００１】
本発明は、インペラ、およびこれを備える遠心ファンと送風機に関する。
【背景技術】
【０００２】
従来から遠心ファンに用いられるインペラが様々提案されている。例えば、特許文献１に開示される送風ファンは、シュラウドと、ブレードと、ハブを備える。
【０００３】
シュラウドは、空気の流入側に配置される。ハブは、空気の吐出側に配置される。複数のブレードは、シュラウドとハブとの間の間隙部に配置される。流入された空気は、送風ファンの垂直方向に流入され、吐出される空気は、９０°偏向されてから送風ファンの遠心方向に吐出される。
【０００４】
そして、上記特許文献１では、ハブに近接したブレードの端部の外径は、シュラウドに近接したブレードの端部の外径よりも小さい。
【先行技術文献】
【特許文献】
【０００５】
【特許文献１】特開２００５−２４８９５０号公報
【発明の概要】
【発明が解決しようとする課題】
【０００６】
上記特許文献１の送風ファンでは、特に静圧が上昇した場合に、径方向外側に吹出された空気が送風ファン側に巻き返されて逆流が生じ易く、送風量の低下につながるという問題がある。
【０００７】
上記問題点に鑑み、本発明は、送風量を増加させることができるインペラ、およびこれを備える遠心ファンと送風機を提供することを目的とする。
【課題を解決するための手段】
【０００８】
本発明の例示的なインペラは、上下方向に延びる回転軸周りに回転可能で、上部に吸気口を有するインペラであって、
周方向に配列された複数の羽根と、
複数の前記羽根の上部を連結する環状部材と、
複数の前記羽根の下端部を連結して径方向に広がる底板と、
を備え、
回転軸から前記羽根の下端部における径方向外端までの距離は、回転軸から前記羽根の上部における径方向外端までの距離よりも長い。
【発明の効果】
【０００９】
本発明の例示的なインペラによれば、送風量を増加させることができる。
【図面の簡単な説明】
【００１０】
【図１】図１は、本発明の一実施形態に係る遠心ファンの斜視図である。
【図２】図２は、本発明の一実施形態に係る遠心ファンの上方から視た平面図である。
【図３】図３は、図２におけるＡ−Ａ断面図である。
【図４Ａ】図４Ａは、効果検証に用いた一パターンの羽根を示す模式図である。
【図４Ｂ】図４Ｂは、効果検証に用いた第１の比較例に係るパターンの羽根を示す模式図である。
【図４Ｃ】図４Ｃは、効果検証に用いた第２の比較例に係るパターンの羽根を示す模式図である。
【図５】図５は、静圧Ｐと送風量Ｑの関係、および効率Ｅと送風量Ｑの関係の一例をそれぞれ示すグラフである。
【図６Ａ】図６Ａは、効果検証に用いた第１パターンの平坦部を有する羽根を示す模式図である。
【図６Ｂ】図６Ｂは、効果検証に用いた第２パターンの平坦部を有する羽根を示す模式図である。
【図６Ｃ】図６Ｃは、効果検証に用いた第３パターンの平坦部を有する羽根を示す模式図である。
【図６Ｄ】図６Ｄは、効果検証に用いた第４パターンの平坦部を有する羽根を示す模式図である。
【図７】図７は、図６Ａ〜図６Ｄの各パターンに応じた、静圧Ｐと送風量Ｑの関係、および効率Ｅと送風量Ｑの関係を示すグラフである。
【図８】図８は、本発明の一実施形態に係る送風機の断面図である。
【図９】図９は、変形例に係る送風機の一部断面図である。
【図１０】図１０は、変形例に係るインペラの斜視図である。
【図１１】図１１は、変形例に係るインペラの上方から視た平面図である。
【図１２】図１２は、変形例に係るインペラの側面から視た投影図である。
【発明を実施するための形態】
【００１１】
以下に本発明の例示的な実施形態について図面を参照して説明する。なお、以下の説明では、インペラの回転軸の延びる方向を「上下方向」とする。但し、この上下方向は、実際の機器に組み込まれたときの位置関係および方向を示すものではない。また、回転軸を中心とする径方向を単に「径方向」と呼び、回転軸を中心とする周方向を単に「周方向」と呼ぶ。
【００１２】
＜１．遠心ファンの全体構成＞
図１は、本発明の一実施形態に係る遠心ファン１の斜視図である。図２は、本発明の一実施形態に係る遠心ファン１の上方から視た平面図である。図３は、図２におけるＡ−Ａ断面図である。遠心ファン１は、ベース部５と、モータ１０と、インペラ２０と、を備える。
【００１３】
モータ１０は、インペラ２０の内側に配置され、回転軸Ｊ周りにインペラ２０を回転させる。ベース部５は、インペラ２０の下側に配置され、モータ１０を支持する。すなわち、遠心ファン１は、インペラ２０と、インペラ２０を回転させるモータ１０と、インペラ２０の下側に位置し、インペラ２０を回転可能に支持するベース部５と、を有する。
【００１４】
＜２．ベース部の構成＞
ベース部５は、円盤状の基部５１と、軸受保持部５２と、取付部５３と、を有する。軸受保持部５２は、基部５１の中央部から上側に突出し、内部にモータ１０の軸受部１０２を収容して保持する。本実施形態では、軸受部１０２はスリーブベアリングである。なお、軸受部１０２は一対のボールベアリングであってもよい。
【００１５】
取付部５３は、基部５１の径方向外端部の下面から下側且つ径方向外側へ突出して設けられる。取付部５３は、周方向に間隔を空けて３つ設けられる。取付部５３は、フック状に形成され、遠心ファン１を機器に取り付ける機能を有する。機器に設けられるボスに取付部５３を挿入することで、ベース部５が機器に固定される。
【００１６】
機器としては、例えば冷蔵庫が好適である。例えば、ベース部５は、冷気が通される通風路に固定される。
【００１７】
＜３．モータの構成＞
モータ１０は、シャフト１０１と、軸受部１０２と、ステータ１０３と、磁石１０４と、を有するアウタロータ型のモータである。上述したように、軸受部１０２は、ベース部５の軸受保持部５２内部に収容されて保持される。上下方向に延びるシャフト１０１は、軸受部１０２により回転可能に保持される。
【００１８】
シャフト１０１の上端部は、インペラ２０に固定される。ステータ１０３は、軸受保持部５２の外壁面に固定される。ステータ１０３は、ステータコアにコイルが巻かれて構成される。磁石１０４は、インペラ２０の内壁面に固定され、ステータ１０３の径方向外側に間隙を有して対向する。
【００１９】
ステータ１０３のコイルに通電を行うことで、コイルに発生する磁力と磁石１０４との相互作用によって、インペラ２０は回転軸Ｊ周りに回転する。
【００２０】
＜４．インペラの構成＞
次に、本実施形態に係るインペラ２０の構成について詳述する。インペラ２０は、環状部材２１と、底板２２と、カップ状部２３と、複数の羽根２４と、を備える。
【００２１】
羽根２４は、底板２２と環状部材２１との間に介在する。複数の羽根２４は、周方向に配列される。
【００２２】
環状部材２１は、複数の羽根２４の上端部を連結するとともに、開口としての吸気口２１１を有する。より具体的には、環状部材２１は、複数の羽根２４の上端部を連結して円環状に形成され、中心部には空気を取り込むための吸気口２１１が形成される。吸気口２１１は、平面視において円形である。
【００２３】
底板２２は、複数の羽根２４の下端部を連結し、径方向に広がる。底板２２は、円盤状に形成される。底板２２の中央部には、上側に盛り上がって形成されるカップ状部２３が設けられる。カップ状部２３の内部は空洞となっている。カップ状部２３には、カップ状部２３の天面部２３Ａから下方に向かって突出する突出部２３Ｂが形成される。上述したシャフト１０１の上端部は、突出部２３Ｂに固定される。例えば、シャフト１０１と突出部２３Ｂとは、インサート成形により一体に形成される。また、カップ状部２３の内壁面にモータ１０の磁石１０４が固定される。すなわち、磁石１０４は、上記空洞内部に配置される。
【００２４】
羽根２４は、上下方向に起立して径方向内側から外側に向かって延びる板状部材である。羽根２４は、上方からの平面視において、インペラ２０を時計回りに回転させた場合に、径方向内端が径方向外端に対して回転方向前方側に傾斜し、回転方向前方が凸となるよう湾曲する。また、径方向外側に向かうに従って、隣り合う羽根２４の間の間隔は広がる。
【００２５】
羽根２４の径方向内端縁部は、底板２２よりも内周側に位置し、カップ状部２３上に位置する。羽根２４の上端部は、上側に突出する第１凸部２４Ａを有する。第１凸部２４Ａは、吸気口２１１よりも径方向内側において同一円上に配列される。
【００２６】
羽根２４の上端部は、第１凸部２４Ａより径方向内側において、径方向に平行に延びる
水平部２４Ｂを、第１凸部２４Ａより径方向外側において、径方向外側に向かって下降する第１傾斜部２４Ｃを有する。また、羽根の上端部は、第１傾斜部２４Ｃの径方向外端から環状部材２１の下面まで上側に延び、環状部材２１の下面に沿って環状部材２１の径方向外端まで形成される第２凸部２４Ｄを有する。第２凸部２４Ｄにおいて、羽根２４の上端部は環状部材２１に連結される。
【００２７】
羽根２４の下端部は、底板２２よりも径方向外側の位置まで延びる。羽根２４の径方向外端縁部は、羽根２４の下端部から上下方向に延びる平坦部２４Ｅを有する。また、羽根２４の外端縁部は、平坦部２４Ｅの上端と第２凸部２４Ｄの径方向外端とを接続する第２傾斜部２４Ｆを有する。第２傾斜部２４Ｆは、径方向外側へ向かうに従って下降する。
【００２８】
ここで、羽根２４においては、回転軸Ｊから羽根２４の下端部における径方向外端までの距離（図３のＬ２）は、回転軸Ｊから第２凸部２４Ｄの径方向外端までの距離（図３のＬ１）よりも長い。
【００２９】
すなわち、本実施形態に係るインペラ２０は、上下方向に延びる回転軸Ｊ周りに回転可能で、上部に吸気口２１１を有するインペラであって、
周方向に配列された複数の羽根２４と、複数の前記羽根２４の上部を連結する環状部材２１と、複数の羽根２４の下端部を連結して径方向に広がる底板２２と、を備え、
回転軸Ｊから羽根２４の下端部における径方向外端までの距離は、回転軸Ｊから羽根２４の上部における径方向外端までの距離よりも長い。
【００３０】
モータ１０によってインペラ２０が回転軸Ｊ周りに回転すると、上方から吸気口２１１を介して羽根２４側へ空気が取り込まれ、取り込まれた空気は羽根２４と底板２２によって径方向外側へ向かって案内されて、インペラ２０の径方向外側へ吹出される。このとき、上記構成により、空気を底板２２側に集めることができるので、吹出された空気が逆流することが抑制され、送風量を増加させることができる。
【００３１】
ここで、上記構成を有する羽根による効果を検証した結果を図４Ａ〜図４Ｃ、および図５を用いて説明する。図５は、図４に示す異なる構成を有する各羽根のパターンごとに静圧Ｐと送風量Ｑの関係、および効率Ｅと送風量Ｑの関係を示したグラフである。但し、効率Ｅとは、静圧Ｐと送風量Ｑとの乗算値を軸動力で除した値で定義される。
【００３２】
図４Ａに示す羽根のパターンは、回転軸から羽根の下端部における径方向外端までの距離Ｒ２が、回転軸から羽根の上部における径方向外端までの距離Ｒ１よりも長い構成である。図４Ｂに示す羽根のパターンは、第１の比較例に相当し、回転軸から羽根の下端部における径方向外端までの距離と、回転軸から羽根の上部における径方向外端までの距離とが距離Ｒ１で等しい構成である。図４Ｃに示す羽根のパターンは、第２の比較例に相当し、回転軸から羽根の下端部における径方向外端までの距離と、回転軸から羽根の上部における径方向外端までの距離とが距離Ｒ２で等しい構成である。
【００３３】
そして、図５において、図４Ａ、図４Ｂ、図４Ｃの各パターンに対応する特性を、それぞれ実線、破線、一点鎖線にて示す。なお、図５において、右下がりの曲線が静圧Ｐと送風量Ｑの関係を示し、上に凸の曲線が効率Ｅと送風量Ｑの関係を示す。
【００３４】
図５に示す静圧Ｐと送風量Ｑとの関係を参照すると、図４Ａのパターン（実線）は、第１の比較例に係る図４Ｂのパターン（破線）よりも同じ静圧に対して送風量を増加させることができる。図４Ｃの第２の比較例に係るパターン（一点鎖線）は、図４Ａのパターン（実線）よりも同じ静圧に対して更に送風量が増加する。しかしながら、図５に示す効率Ｅと送風量Ｑの関係を参照すると、図４Ｃのパターン（一点鎖線）では、図４Ｂのパター
ン（破線）よりも効率のピーク値が低下する。すなわち、図４Ｂのパターンに対して羽根の径方向外端縁部を上下方向に延びたまま延長した図４Ｃのパターンでは、送風量は増加するが、効率のピーク値が低下してしまう。
【００３５】
これに対し、効率のピーク値は、図４Ａのパターン（実線）では、図４Ｂのパターン（破線）と比べて低下することが抑制される。従って、上記構成である、図４Ａのパターン（実線）の羽根を用いれば、送風量を増加させることができるとともに、効率の低下を抑制することができる。
【００３６】
また、本実施形態に係るインペラ２０においては、羽根２４の径方向外端縁部は、羽根２４の下端部から上下方向に延びる平坦部２４Ｅを有する。これにより、例えば、図３において、破線で示すラインＳを羽根２４の径方向外端縁部とする構成よりも、羽根の面積を大きくすることができる。すなわち、限られた外形寸法のインペラにおいて、羽根の面積を大きくすることができ、送風量を増加させることができる。
【００３７】
さらに、図３では、上記平坦部２４Ｅの上下方向の幅Ｗ２は、第２凸部２４Ｄの径方向外端における羽根２４の上下方向の幅Ｗ１の下側８０％を占める構成としている。
【００３８】
ここで、平坦部の幅の条件について効果検証を行った結果について説明する。図６Ａ〜図６Ｄに示した各パターンの平坦部を有する羽根について効果検証を行った。図６Ａは、羽根の上端部と下端部間の幅Ｗａに対して平坦部が同じ幅となる、すなわち平坦部の割合が１００％となるパターンである。図６Ｂは、羽根の上端部と下端部間の幅Ｗａに対して平坦部の幅Ｗｂ１の割合が８０％であるパターンである。図６Ｃは、羽根の上端部と下端部間の幅Ｗａに対して平坦部の幅Ｗｂ２の割合が２０％であるパターンである。図６Ｄは、羽根の上端部と下端部間の幅Ｗａに対して平坦部を有さない、すなわち平坦部の割合が０％となる構成である。
【００３９】
図７は、図６Ａ〜図６Ｄの各パターンについての静圧Ｐと送風量Ｑの関係、および効率Ｅと送風量Ｑの関係を示す。図７において、図６Ａのパターンは実線、図６Ｂのパターンは破線、図６Ｃのパターンは一点鎖線、図６Ｄのパターンは二点鎖線に対応する。図７に示すように、４つのパターンのうち図６Ｂ（破線）のパターンが同じ静圧Ｐに対して最も送風量Ｑが大きい。また、図６Ａ（実線）のパターンは、図６Ｃ（一点鎖線）および図６Ｄ（二点鎖線）のパターンよりも同じ静圧Ｐに対して送風量Ｑが大きい。なお、効率Ｅのピーク値については、４つのパターンにおいてほぼ差がない。
【００４０】
すなわち、平坦部２４Ｅは、羽根２４の上部における径方向外端での羽根の上下方向幅の少なくとも下側半分を占めることが好適であり、さらには、平坦部２４Ｅは、羽根２４の上記上下方向幅の下側半分を超えた範囲を占めることが好適である。これにより、送風量の向上に寄与する吸気口２１１と反対側の羽根２４の面積を大きくすることができる。なお、上記８０％という割合は一例であって、５０％以上１００％未満の割合とすることが可能である。
【００４１】
また、図１および図３に示すように、底板２２は、その径方向外端縁部において、径方向内側から径方向外側へ向かうに従って下方向へ傾斜する傾斜縁部２２１を有する。これにより、傾斜縁部２２１に沿って空気が吐き出されるため、より送風量を増加させることができる。
【００４２】
また、本実施形態では、図３に示すように、回転軸Ｊから羽根２４の下端部の径方向外端までの距離Ｌ２は、回転軸Ｊから環状部材２１の径方向外端までの距離Ｌ５よりも長い。これにより、羽根２４における吸気側と反対側の部分の面積を大きくすることができ、
より送風量を増加させることができる。
【００４３】
また、インペラ２０において、底板２２、カップ状部２３、環状部材２１、および複数の羽根２４は、樹脂成型により同一部材として成型され、図３に示すように、回転軸Ｊから環状部材２１の径方向内端までの距離Ｌ３は、回転軸Ｊから底板２２の径方向外端までの距離Ｌ４と同じとしている。また、距離Ｌ３は、距離Ｌ４よりも長くしてもよい。
【００４４】
これにより、インペラ２０を成型する際に、スライド金型を用いずとも、上下金型によって上側および下側にそれぞれ金型を抜くことができる。従って、インペラ２０の生産効率およびコストの面で有利となる。
【００４５】
＜５．送風機の構成＞
次に、上述した本実施形態に係る遠心ファン１を備える送風機の構成について説明する。図８は、本実施形態に係る遠心ファン１を備える送風機３５の断面図である。図８は、図３に対応した断面図である。送風機３５は、冷蔵庫などの機器に取り付けられる。
【００４６】
図８に示す送風機３５は、ベース部５、モータ１０およびインペラ２０から構成される遠心ファン１と、ケーシング３０と、を備える。
【００４７】
ケーシング３０の下部はベース部５に固定され、ケーシング３０は、その内部空間にインペラ２０を収容する。ケーシング３０は、下面から上方に窪む凹部３０１を有する。ケーシング３０の凹部３０１が形成される部分は、上方からの平面視で円環状である。凹部３０１は、羽根２４の一部および環状部材２１の上方を覆う。
【００４８】
本実施形態では、凹部３０１は、その内部に環状部材２１の少なくとも一部を収容する。凹部３０１の径方向内側における内壁部３０１Ａは、環状部材２１の吸気口２１１を構成する内壁面の少なくとも一部と径方向に隙間を介して対向する。なお、凹部３０１は、その内部に環状部材２１の全部が収容されてもよく、凹部３０１の径方向内側における内壁部３０１Ａは、環状部材２１の吸気口２１１を構成する内壁面の全部と径方向に隙間を介して対向してもよい。さらに、内壁部３０１Ａは、羽根２４における第２凸部２４Ｄの内壁面の一部と径方向に隙間を介して対向する。つまり、内壁部３０１Ａの先端部は、第１傾斜部２４Ｃ（図１）と第２凸部２４Ｄにより形成される羽根２４の段差に入り込む。
【００４９】
すなわち、送風機３５は、遠心ファン１と、遠心ファン１の上部の少なくとも一部を覆うケーシング３０を有する送風機であって、ケーシング３０は、下面から上方に窪む凹部３０１を有し、凹部３０１は、環状部材２１の少なくとも一部を収容し、凹部３０１は、環状部材２１の径方向内側を向く面の少なくとも一部と、径方向に隙間を介して対向する構成である。さらに、羽根２４の径方向内側の上部（第２凸部２４Ｄ）は、凹部３０１と径方向に対向する。
【００５０】
これにより、インペラ２０から吐き出された空気がケーシング内に逆流して渦が発生することを抑制できる。そのため、上下方向においてインペラ２０の吸気側と反対側に空気を集めることができ、送風量を増加させることができる。
【００５１】
図９は、上述した送風機３５の変形例を示す一部断面図である。図９に示す送風機では、羽根２４の上端部は、第２凸部２４Ｄを有さず、環状部材２１の下面の径方向内端から径方向内側に向かって平坦となる構成である。そして、ケーシング３０の凹部３０１の内壁部３０１Ａは、環状部材２１の吸気口２１１を形成する内壁面の上方一部と対向する。すなわち、凹部３０１は、環状部材２１の一部を収容する。このような構成によっても、上述した効果と同様の効果は奏される。なお、羽根２４の上端部は、環状部材２１の下面
の径方向内端からさらに径方向内側に向かって上昇する傾斜面を有してもよい。
【００５２】
＜６．インペラの変形例＞
次に、インペラの変形例について図１０〜図１２を用いて説明する。図１０は、変形例に係るインペラ１２０の斜視図である。図１１は、変形例に係るインペラ１２０の上方から視た平面図である。図１２は、変形例に係るインペラ１２０の側面から視た投影図である。
【００５３】
変形例に係るインペラ１２０は、環状部材１２１と、底板１２２と、カップ状部１２３と、複数の羽根１２４と、を備える。先述した実施形態に係るインペラ２０では、環状部材２１は、上下方向において内径および外径が一定の構成であった。これに対し、変形例に係るインペラ１２０では、環状部材１２１は、基体部１２１Ａと、垂下部１２１Ｂと、を有する構成である。基体部１２１Ａは、下方へ向かうに従って内径および外径が増加する。垂下部１２１Ｂは、基体部１２１Ａの下方に設けられ、上下方向に延びる。
【００５４】
羽根１２４の上端部は、垂下部１２１Ｂ内に収容される凸部１２４Ｄを有する。また、羽根１２４の径方向外端縁部は、羽根１２４の下端部の径方向外端から上方へ垂直に延びる平坦部１２４Ｅと、凸部１２４Ｄの径方向外端と平坦部１２４Ｅの上端とを接続する傾斜部１２４Ｆを有する。
【００５５】
図１２に示すように、回転軸Ｊから羽根１２４の下端部の径方向外端までの距離Ｌ１２は、回転軸Ｊから凸部１２４Ｄの径方向外端までの距離Ｌ１１より長い。すなわち、回転軸Ｊから羽根１２４の下端部における径方向外端までの距離は、回転軸Ｊから羽根１２４の上部における径方向外端までの距離よりも長い。
【００５６】
これにより、先述した実施形態の羽根２４と同様に、送風量を増加させつつ、効率の低下を抑える効果を奏することができる。
【００５７】
また、変形例に係るインペラ１２０は、先述した実施形態と同様のその他の構成（平坦部１２４Ｅ、底板１２２の構成等）も有しており、同様の効果を享受することができる。
【００５８】
以上、本発明の実施形態について説明したが、本発明の趣旨の範囲内であれば、実施形態は種々の変更が可能である。
【産業上の利用可能性】
【００５９】
本発明は、例えば冷蔵庫に搭載される送風機に適用されるインペラに好適に利用することができる。
【符号の説明】
【００６０】
１・・・遠心ファン、５・・・ベース部、５１・・・基部、５２・・・軸受保持部、５３・・・取付部、１０・・・モータ、１０１・・・シャフト、１０２・・・軸受部、１０３・・・ステータ、１０４・・・磁石、２０・・・インペラ、２１・・・環状部材、２１１・・・吸気口、２２・・・底板、２２１・・・傾斜縁部、２３・・・カップ状部、２３Ａ・・・天面部、２３Ｂ・・・突出部、２４・・・羽根、２４Ａ・・・第１凸部、２４Ｂ・・・水平部、２４Ｃ・・・第１傾斜部、２４Ｄ・・・第２凸部、２４Ｅ・・・平坦部、２４Ｆ・・・第２傾斜部、３０・・・ケーシング、３０１・・・凹部、３０１Ａ・・・内壁部、１２０・・・インペラ、１２１・・・環状部材、１２１Ａ・・・基体部、１２１Ｂ・・・垂下部、１２２・・・底板、１２３・・・カップ状部、１２４・・・羽根、１２４Ｄ・・・凸部、１２４Ｅ・・・平坦部、１２４Ｆ・・・傾斜部、Ｊ・・・回転軸
【図１】
2018053863.tif 000003
【図２】
2018053863.tif 000004
【図３】
2018053863.tif 000005
【図４Ａ】
2018053863.tif 000006
【図４Ｂ】
2018053863.tif 000007
【図４Ｃ】
2018053863.tif 000008
【図５】
2018053863.tif 000009
【図６Ａ】
2018053863.tif 000010
【図６Ｂ】
2018053863.tif 000011
【図６Ｃ】
2018053863.tif 000012
【図６Ｄ】
2018053863.tif 000013
【図７】
2018053863.tif 000014
【図８】
2018053863.tif 000015
【図９】
2018053863.tif 000016
【図１０】
2018053863.tif 000017
【図１１】
2018053863.tif 000018
【図１２】
2018053863.tif 000019